(57)【特許請求の範囲】
【請求項１】
設定された撮影条件に基づいて被写体光を撮像する撮像素子を備える撮像装置であって、
シャッタースピード値及び絞り値のいずれか一方の撮影条件を示す語句または画像を表示する撮影条件表示部と、
前記撮影条件表示部に表示された前記語句または前記画像の中から１つの前記語句または前記画像を選択する選択部と、
前記撮像素子において、前記語句または前記画像により示される前記シャッタースピード値または前記絞り値により撮像を行う場合のイメージ図が前記語句または前記画像のそれぞれに対応して記憶されているイメージ図記憶部と、
前記選択部により前記語句または前記画像を選択した場合に、前記イメージ図記憶部から選択された前記語句または前記画像に対応する前記イメージ図を読み出して表示するイメージ図表示部と、
前記選択部により選択された前記語句または前記画像に対応する前記シャッタースピード値及び前記絞り値のいずれか一方の撮影条件を設定する設定部と、を備え、
前記語句または前記画像に対応する前記シャッタースピード値または前記絞り値を、主要被写体または撮影環境に応じて定め、
前記イメージ図は、同一の被写体を前記シャッタースピード値または前記絞り値を変更して撮像を行う場合のイメージ図であること
を特徴とする撮像装置。
【請求項２】
前記いずれか一方の撮影条件が前記シャッタースピード値である場合であって、
前記撮影条件として絞り値を設定する際に、前記絞り値を示す前記語句または前記画像を表示する絞り表示部と、
前記絞り表示部に表示された前記語句または前記画像の中から１つの前記語句または前記画像を選択する絞り選択部と、をさらに備え、
前記絞り選択部により前記語句または前記画像を選択した場合に、前記イメージ図表示部に表示されている前記イメージ図の明るさを、前記絞り選択部により選択された前記語句または前記画像により示される前記絞り値に対応する明るさに変更すること
を特徴とする請求項１に記載の撮像装置。
【請求項３】
前記いずれか一方の撮影条件が前記絞り値である場合であって、
前記撮影条件としてシャッタースピード値を設定する際に、前記シャッタースピード値を示す前記語句または前記画像を表示するシャッタースピード表示部と、
前記シャッタースピード表示部に表示された前記語句または前記画像の中から１つの前記語句または前記画像を選択するシャッタースピード選択部と、をさらに備え、
前記シャッタースピード選択部により前記語句または前記画像を選択した場合に、前記イメージ図表示部に表示されている前記イメージ図の明るさを、前記シャッタースピード選択部により選択された前記語句または前記画像により示される前記シャッタースピード値に対応する明るさに変更すること
を特徴とする請求項１に記載の撮像装置。
【請求項４】
前記イメージ図表示部は、外光の明るさまたはＩＳＯ感度を反映させた前記イメージ図を表示すること
を特徴とする請求項１から請求項３の何れか一項に記載の撮像装置。
【発明の詳細な説明】
【技術分野】
【０００１】
本発明は、被写体光を撮像する撮像素子を備える撮像装置に関するものである。
【背景技術】
【０００２】
従来からカメラにおいて、被写体の撮影を行う際にマニュアルモードを選択した場合には、シャッタスピード値や絞り値といった撮影条件をユーザ自身で自由に決定することができる。これにより撮影シーンに応じた適切な撮影条件を設定することができる。しかし、シャッタスピード値や絞り値が撮影画像に対してどのような影響を与えるかは、初心者にとっては難解であり、マニュアルモードは使用しづらいものとなっている。そこで、初心者にとっても、使用し易いマニュアルモードを備える撮像装置を提供すべく、プレ撮影で取得した画像データについて画像解析を行い、撮影シーンを推定することによって人物、風景、夜景等主要被写体の種類や撮影環境に対応した撮影モードを推奨し、ユーザが選択できるようにした撮像装置が提案されている。（例えば、特許文献１参照）。
【特許文献１】特開２００７−１８４７３３
【発明の開示】
【発明が解決しようとする課題】
【０００３】
しかし、このようなマニュアルモードにおいては、シャッタスピード値や絞り値といった撮影条件をユーザが直接設定するのではなく、主要被写体の種類や撮影環境に応じて予め設定されたシャッタスピード値や絞り値を選択するに過ぎないものであるため、シャッタスピード値や絞り値といった撮影条件を、数段または十数段刻みで設定することができるマニュアルモードを使用する場合と比較して、撮影意図が十分に反映されない場合もあった。
【０００４】
本発明の目的は、初心者であってもシャッタスピード値や絞り値等の撮影条件の設定が容易にできるマニュアルモードを有する撮像装置を提供することである。
【課題を解決するための手段】
【０００５】
以下に本発明の構成を実施の形態の符号を付して説明するが、本発明は、本実施の形態に限定されるものではない。
【０００６】
本発明の撮像装置は、設定された撮影条件に基づいて被写体光を撮像する撮像素子を備える撮像装置であって、シャッタースピード値及び絞り値のいずれか一方の撮影条件を示す語句または画像を表示する撮影条件表示部と、前記撮影条件表示部に表示された前記語句または前記画像の中から１つの前記語句または前記画像を選択する選択部と、前記撮像素子において、前記語句または前記画像により示される前記シャッタースピード値または前記絞り値により撮像を行う場合のイメージ図が前記語句または前記画像のそれぞれに対応して記憶されているイメージ図記憶部と、前記選択部により前記語句または前記画像を選択した場合に、前記イメージ図記憶部から選択された前記語句または前記画像に対応する前記イメージ図を読み出して表示するイメージ図表示部と、前記選択部により選択された前記語句または前記画像に対応する前記シャッタースピード値及び前記絞り値のいずれか一方の撮影条件を設定する設定部と、を備え、前記語句または前記画像に対応する前記シャッタースピード値または前記絞り値を、主要被写体または撮影環境に応じて定め、前記イメージ図は、同一の被写体を前記シャッタースピード値または前記絞り値を変更して撮像を行う場合のイメージ図であることを特徴とする。
【０００７】
なお、本発明において、「シャッタスピード値又は絞り値のいずれか一方の撮影条件を示す語句または画像」とは、シャッタスピード値又は絞り値そのものの数値（数字）を含まない概念であり、言葉や文言、図形、記号等を示すものである。
【発明の効果】
【０００８】
本発明の撮像装置によれば、シャッタスピード値または絞り値を、それらの数値そのものではなく、初心者でも概念的に容易に撮影された画像がどのようになるかをイメージすることができる語句または画像で表示する。このためシャッタスピード値や絞り値を変更することによる撮影画像への影響を十分に理解していない初心者にとっても分かりやすく、扱いやすいマニュアルモードを提供することができる。
【発明を実施するための最良の形態】
【０００９】
以下、図面を参照して本発明の実施の形態に係る撮像装置について説明する。図１は、実施の形態に係るカメラの背面の構成を示す図である。カメラ（撮像装置）２は、図示しない撮影レンズとカメラ本体４とを備えている。ここで、撮影レンズは、カメラ本体４に固定されているものでも良いし、交換式の撮影レンズでも良い。カメラ本体４の上部には、レリーズ動作を指示するシャッタボタン６が設けられており、カメラ本体４の背面には、ファインダ像を観察するためのファインダ接眼窓８、撮影画像の表示、再生及び撮影条件等を表示するＬＣＤにより構成される表示部１０、表示部１０に表示された撮影条件等を選択するマルチセレクタ１２、選択した撮影条件等を決定する決定ボタン１４を備えている。
【００１０】
図２は、実施の形態に係るカメラのシステム構成を示すブロック構成図である。カメラ２にはＣＰＵ１６が設けられており、ＣＰＵ１６には、シャッタボタン６、マルチセレクタ１２、決定ボタン１４等を備える操作部１８、表示部１０の表示を制御する表示制御部２０、撮影レンズを介した被写体光を撮像して撮像信号（蓄積電荷としてのアナログ信号）を生成するＣＣＤ或いはＣＭＯＳ等により構成される撮像素子２２、撮像素子２２から出力された撮像信号を、図示しないＡ／Ｄ変換部においてＡ／Ｄ変換して画像データを生成し、この画像データを一時的に記憶する画像データ記憶部２４、撮像素子２２から出力される撮像信号に基づく画像データに、ホワイトバランス調整、輪郭補償、ガンマ補正等の画像処理を行う画像処理部２６、画像データを記憶するメモリカード２８、設定された撮影条件を記憶する撮影条件記憶部３０、及び設定された撮影条件で撮影した場合における撮影画像のイメージ図を記憶するイメージ図記憶部３２が接続されている。
【００１１】
イメージ図記憶部３２には、後述する「シャッタスピード優先選択モード」及び「絞り優先選択モード」に対応したイメージ図がそれぞれ記憶されている。イメージ図は、後述の撮影条件設定の際に、イメージ図記憶部３２から読み出され、表示部１０のイメージ図表示領域３６に表示される。ここで、「シャッタスピード優先選択モード」に対応したイメージ図は、図３及び図４に示すように、同一被写体を、シャッタスピード値を変更して撮影した場合のイメージ画像である。本実施の形態においては、シャッタスピード値を示す語句として「かなり速い」、「速い」、「普通」、「遅い」、「かなり遅い」の５つの語句を用いており、図３（ａ）は「かなり速い」に、図３（ｂ）は「速い」に、図３（ｃ）は「普通」に、図４（ａ）は「遅い」に、図４（ｂ）は「かなり遅い」にそれぞれ対応するイメージ図である。これら図３及び図４に示すイメージ図では、シャッタスピードが遅くなるに従って、被写体のぶれが大きくなる状態が、被写体を一部重ねて表示することで表現（図示）されている。また、「絞り優先選択モード」に対応したイメージ図は、図５及び図６に示すように、同一被写体を、絞り値を変更して撮影した場合のイメージ画像である。本実施の形態においては、絞り値を示す語句として、「たくさん絞る」、「絞る」、「普通」、「絞りを開ける」、「たくさん絞りを開ける」の５つの語句を用いており、図５（ａ）は「たくさん絞る」に、図５（ｂ）は「絞る」に、図５（ｃ）は「普通」に、図６（ａ）は「絞りを開ける」に、図６（ｂ）は「たくさん絞りを開ける」にそれぞれ対応するイメージ図である。これら図５及び図６に示すイメージ図では、絞り値が大きくなるに従って、即ち、絞りを絞るに従って、被写界深度は深くなり、カメラから相対的に離れた場所の被写体まで鮮明に撮像される状態を、線の太さ及び実線／点線の使い分けによって表現（図示）している。
【００１２】
なお、シャッタスピード値または絞り値を示す語句と実際の値との関係については、一例として、「普通」はシャッタスピード値として１／２５０秒を、「速い」には１／５００秒を、「かなり速い」には１／１０００秒をそれぞれ対応させ、「遅い」には１／１２５秒を、「かなり遅い」には１／６０秒をそれぞれ対応させる。また、絞り値については、例えば、「普通」には絞り値としてｆ５．６を、「絞る」にはｆ８を、「たくさん絞る」にはｆ１１をそれぞれ対応させ、「絞りを開ける」にはｆ４を、「たくさん絞りを開ける」にはｆ２．８をそれぞれ対応させる。
【００１３】
次に、図７のフローチャートを参照して、マニュアルモードにおける撮影条件の設定処理について説明する。カメラ２において、図示しない電源ボタンが操作され、電源がＯＮとなり（ステップＳ１１）、マルチセレクタ１２、決定ボタン１４等の操作により簡単マニュアルモードが選択されると（ステップＳ１２）、表示部１０に先にシャッタスピード値の設定を行う「シャッタスピード優先選択モード」、または、先に絞り値の設定を行う「絞り優先選択モード」を選択する画面（図８参照）が表示される。この状態で、ユーザがマルチセレクタ１２を操作して、選択ポインタ４０を移動させ、決定ボタン１４を操作することにより「シャッタスピード優先選択モード」または「絞り優先選択モード」を選択する（ステップＳ１３）。ここで、簡単マニュアルモードとは、シャッタスピード値または絞り値を示す語句や画像を選択することで、撮影条件であるシャッタスピード値と絞り値を設定することができるマニュアルモードをいう。
【００１４】
ステップＳ１３において、「シャッタスピード優先選択モード」が選択されると、図９に示すように、表示部１０にシャッタスピード値を示す語句を選択するための画面が表示される。図９に示すように、表示部１０には、シャッタスピード値を語句を用いて表示し、この語句の何れかを選択ポインタ４０を用いて選択することによりシャッタスピード値を選択する撮影条件選択領域３４、イメージ図記憶部３２に記憶されているイメージ図を読み出して表示するイメージ図表示領域３６及び手ぶれ等の警告及びメモリカードの容量不足等の警告を表示する警告表示領域３８が表示される。
【００１５】
ここで、撮影条件選択領域３４には、シャッタスピード値を示す語句として「かなり速い」、「速い」、「普通」、「遅い」、「かなり遅い」の５つの語句が表示される。この状態で、ユーザがマルチセレクタ１２を操作して、選択ポインタ４０を上下に移動させ、１つの語句を選択すると（ステップＳ１４）、イメージ図記憶部３２から選択された語句が示すシャッタスピードに対応するイメージ図が読み出され、イメージ図表示領域３６に表示される（ステップＳ１５）。即ち、選択された語句に対応する図３及び図４に示す何れかのイメージ図がイメージ図表示領域３６に表示される。次に、ユーザが決定ボタン１４を操作して、シャッタスピード値を示す語句を決定すると（ステップＳ１６）、撮影条件記憶部３０に、決定された語句に対応するシャッタスピード値を記憶させ、シャッタスピード値を設定する（ステップＳ１７）。なお、設定しようとするシャッタスピードにおいて撮影を行うと手ぶれ等が起こる虞がある場合には警告表示領域３８にその旨が表示される。
【００１６】
次に、カメラ２は、表示部１０に絞り値を設定するか否か選択する画面（図示せず）を表示する（ステップＳ１８）。ユーザが設定されたシャッタスピード値に対応して、カメラ２により自動的に設定される絞り値を用いて撮影を行うことを選択した場合には、カメラはステップＳ３４において、ステップＳ１７で設定されたシャッタスピード値と測光結果とに基づいて算出される絞り値を自動的に決定し、撮影条件の設定を終了する。つまり、この場合はシャッタスピード値はマニュアル設定し、絞り値はそのマニュアル設定されたシャッタスピード値に基づいて、適正露出が得られるようにカメラが自動的に決定するので、いわゆるシャッタスピード優先露出モードで撮影を行うことになる。そして、シャッタボタン６が操作されることにより、ステップＳ１７で設定されたシャッタスピード値とステップＳ３４で決定された絞り値とで撮影を行う（ステップＳ２３）。
【００１７】
ユーザがマニュアルによる絞り値の設定を選択した場合には、シャッタスピード値も絞り値もユーザが任意の値に設定する、いわゆるマニュアル露出モードで撮影を行うことになる。この場合には、図１０に示すように、絞り値を示す語句として「たくさん絞る」、「絞る」、「普通」、「絞りを開ける」、「たくさん絞りを開ける」の５つの語句が撮影条件選択領域３４に表示される。また、イメージ図表示領域３６には、ステップＳ１７において設定された絞り値に対応する図１１及び図１２に示すイメージ図の何れかが表示される。
【００１８】
図１１及び図１２は、ステップＳ１７において「かなり速い」に対応するシャッタスピード値が設定され、マニュアルにより絞り値の設定を行う場合に、イメージ図表示領域３６に表示されるイメージ図を示したものである。まず、絞り値を示す語句として「普通」に対応するイメージ図が表示される（図１１（ｃ）参照）。これは、図１１及び図１２に示すイメージ図の中で中間の明るさを有するものである。そして、ユーザがマルチセレクタ１２を操作し、選択ポインタ４０が上下に移動することにより（ステップＳ１９）、選択ポインタ４０が「たくさん絞る」を指している場合には図１１（ａ）に示すイメージ図が、「絞る」を指している場合には図１１（ｂ）に示すイメージ図が、「絞りを開ける」を指している場合には図１２（ａ）に示すイメージ図が、「たくさん絞りを開ける」を指している場合には図１２（ｂ）に示すイメージ図が、イメージ図表示領域３６に表示される（ステップＳ２０）。図１１及び図１２に示すイメージ図は、それぞれ同一のシャッタスピードで同一被写体を撮影した場合の画像のイメージ図であり、選択される絞り値によってその表示輝度が変化するようになっている。（例えば、絞り値が小さくなるに従って、即ち、絞りを開けるに従って、イメージ図の明るさは明るくなる。）
ユーザがイメージ図表示領域３６に表示されているイメージ図を参照して、所望の明るさのイメージ図を選択し、決定ボタン１４を操作して、絞り値を示す語句を決定すると（ステップＳ２１）、撮影条件記憶部３０に、絞り値を記憶させ絞り値を設定する（ステップＳ２２）。そして、シャッタボタン６が操作されることにより、上述の各ステップＳ１７、Ｓ２２で設定されたシャッタスピード値及び絞り値の撮影条件の下で撮影を行う（ステップＳ２３）。
【００１９】
一方、ステップＳ１３において、「絞り優先選択モード」が選択されると、図１０に示すように、表示部１０に絞り値を示す語句を選択するための画面が表示される。図１０に示すように、表示部１０には、絞り値を示す語句が表示され、この語句の何れか選択ポインタ４０を用いてを選択することにより絞り値を選択する撮影条件選択領域３４、イメージ図表示領域３６及び警告部表示領域３８が表示される。
【００２０】
ここで、撮影条件選択領域３４には、絞り値を示す語句として「たくさん絞る」、「絞る」、「普通」、「絞りを開ける」、「たくさん絞りを開ける」の５つの語句が表示される。この状態で、ユーザがマルチセレクタ１２を操作して、選択ポインタ４０を上下に移動させ、１つの語句を選択すると（ステップＳ２４）、イメージ図記憶部３２から選択された語句が示す絞り値に対応するイメージ図が読み出され、イメージ図表示領域３６に表示される（ステップＳ２５）。即ち、選択された語句に対応する図５及び図６に示す何れかのイメージ図がイメージ図表示領域３６に表示される。次に、ユーザが決定ボタン１４を操作して、絞り値を示す語句を決定すると（ステップＳ２６）、撮影条件記憶部３０に、決定された語句に対応する絞り値を記憶させ絞り値を設定する（ステップＳ２７）。
【００２１】
次に、カメラ２は、表示部１０にシャッタスピードを設定するか否かを選択する画面（図示せず）を表示する（ステップＳ２８）。ユーザが設定された絞り値に対応して、カメラ２により自動的に設定されるシャッタスピードを用いて撮影を行うことを選択した場合には、カメラ２はステップＳ３５において、ステップＳ２７で設定された絞り値と測光結果とに基づいて算出されるシャッタスピード値を自動的に決定して、撮影条件の設定を終了する。そして、シャッタボタン６が操作されることにより、ステップＳ２７で設定された絞り値とステップＳ３５で決定されたシャッタスピード値とで撮影を行う（ステップＳ３３）。つまり、この場合は、いわゆる絞り値優先露出モード（絞り値はユーザが決定し、シャッタスピード値は、その絞り値に応じてカメラが自動的に決定するモード）で撮影を行うことになる。
【００２２】
上述のステップＳ２８において、ユーザがマニュアルによるシャッタスピードの設定を選択した場合には、シャッタスピード値も絞り値もユーザが任意の値に設定するいわゆるマニュアル露出モードで撮影を行うことになる。この場合には、図９に示すように、シャッタスピード値を示す語句として「かなり速い」、「速い」、「普通」、「遅い」、「かなり遅い」の５つの語句が撮影条件選択領域３４に表示される。また、イメージ図表示領域３６には、図１３及び図１４に示すように、ステップＳ２７において設定された絞り値に対応するイメージ図の何れかが表示される。
【００２３】
図１３及び図１４は、ステップＳ２７において「普通」に対応する絞り値が設定され、マニュアルによりシャッタスピード値の設定を行う場合に、イメージ図表示領域３６に表示されるイメージ図を示したものである。まず、シャッタスピードを示す語句として「普通」に対応するイメージ図が表示される（図１３（ｃ）参照）。これは、図１３及び図１４に示すイメージ図の中で中間の明るさを有するものである。そして、ユーザがマルチセレクタ１２を操作し、選択ポインタ４０が上下に移動することにより（ステップＳ２９）、選択ポインタ４０が「かなり速い」を指している場合には図１３（ａ）に示すイメージ図が、「速い」を指している場合には図１３（ｂ）に示すイメージ図が、「遅い」を指している場合には図１４（ａ）に示すイメージ図が、「かなり遅い」を指している場合には図１４（ｂ）に示すイメージ図がイメージ図表示領域３６に表示される（ステップＳ３０）。図１３及び図１４に示すイメージ図は、それぞれ同一の絞り値で同一被写体を撮影した場合の画像のイメージ図であり、選択されるシャッタスピードによってその表示輝度が変化するようになっている。（例えば、シャッタスピードが遅くなるに従ってイメージ図は明るくなる。）
ユーザがイメージ図表示領域３６に表示されているイメージ図を参照して所望の明るさのイメージ図を選択し、決定ボタン１４を操作してシャッタスピード値を示す語句を決定すると（ステップＳ３１）、撮影条件記憶部３０に、シャッタスピード値を記憶させシャッタスピード値を設定する（ステップＳ３２）。そして、シャッタボタン６が操作されることにより、上述の各ステップＳ２７、Ｓ３５で設定された絞り値、シャッタスピード値で撮影を行う（ステップＳ３３）。なお、設定しようとする撮影条件において撮影を行うと手ぶれ等が起こる虞がある場合には警告表示領域３８にその旨が表示される。
【００２４】
本発明の実施の形態に係る撮像装置によれば、シャッタスピード値や絞り値を数値ではなく、シャッタスピード値や絞り値を示す語句を選択することにより設定することができるため、初心者にとってもマニュアルモードが分かりやすく、扱いやすいものとなる。また、シャッタスピード値や絞り値の設定において、イメージ図が表示されるため、撮影意図を十分に反映した撮影条件を設定することができる。
【００２５】
なお、図４〜図７に示すイメージ図以外に、他の被写体を撮影した画像のイメージ図がイメージ図記憶部３２に記憶されている場合には、ステップＳ１４またはステップＳ２４において、ユーザがマルチセレクタ１２を左右に操作することによって、他の被写体を撮影した画像のイメージ図を選択し、イメージ図表示領域３６に表示することができる。
【００２６】
また、シャッタスピード値及び絞り値を示す語句は一例であり、例えば「明るい」、「暗い」等、他の語句を用いてもよい。
【００２７】
また、上述の実施の形態においては、シャッタスピード値または絞り値を示す語句をそれぞれ５つずつ用いたが、用いる語句は５つに限定されるものではない。
【００２８】
また、実施の形態においては、シャッタスピード値及び絞り値を示す語句を例に説明したが、これらの値を示す方法は語句に限られず、図形や画像あってもよい。図１５は、シャッタスピード値及び絞り値を図形を用いて表示した状態を示すものである。即ち、カメラ２の表示部１０には、イメージ図表示領域３６、警告表示領域３８の他に、選択枠４２、シャッタスピード選択領域４４及び絞り値選択領域４６が表示されている。従って、ユーザは、マルチセレクタ１２を上下に操作することにより、選択枠４２をシャッタスピード選択領域４４または絞り値選択領域４６を移動させる。選択枠４２をシャッタスピード選択領域４４に位置させたときには、マルチセレクタ１２を左右に操作して、シャッタスピード選択領域４４に表示されているシャッタスピード値指示ポインタ４８を移動させて、シャッタスピードを設定する。また、選択枠４２を絞り値選択領域４６に位置させた場合には、マルチセレクタ１２を左右に操作して、絞り値指示ポインタ５０を移動させて、絞り値を設定する。ここで、先にシャッタスピード値を設定したときには、上述の「シャッタスピード優先選択モード」となり、図７に示すフローチャートのステップＳ１４〜Ｓ２２と同様な処理により、撮影条件の設定を行う。一方、先に絞り値を設定したときには、上述の「絞り優先選択モード」となり、図７に示すフローチャートのステップＳ２４〜Ｓ３２と同様な処理により撮影条件の設定を行う。
【００２９】
また、ユーザがマルチセレクタ１２を上下に操作することによって、選択枠４２がイメージ図表示領域３６に位置することができるようにしてもよく、選択枠４２がイメージ図表示領域３６を位置しているときにマルチセレクタ１２を左右に操作することにより、異なる被写体のイメージ図に変更されるようにしてもよい。なお、設定しようとする撮影条件において撮影を行うと手ぶれ等が起こる虞がある場合には警告表示領域３８にその旨が表示される。この場合には、シャッタスピード値または絞り値を示す画像を用いることによって、シャッタスピード値と絞り値の設定を同時に表示部に表示させることができ、さらに使いやすいマニュアルモードを提供することができる。
【００３０】
なお、上述の実施形態においては、主要被写体の種類や撮影環境に応じた撮影モードを備えることにより、シャッタスピード値を示す語句である「速い」、「普通」、「遅い」等に対応するシャッタスピード値や値の範囲、または、絞り値を示す語句である「絞る」、「普通」、「開ける」等に対応する絞り値や絞り値の範囲を、主要被写体の種類や撮影環境に適するものに変更してもよい。例えば、上述のシャッタスピード値と語句との対応例は、日中屋外で主要被写体が静止物としたときの設定であるとすると、スポーツ写真を撮る場合には、「普通」はシャッタスピード値として１／５００秒を、「速い」には１／１０００秒を、「かなり速い」には１／２０００秒をそれぞれ対応させ、「遅い」には１／２５０秒を、「かなり遅い」には１／１２５秒をそれぞれ対応させる。
【００３１】
また、シャッタスピード値または絞り値を示す語句によって撮影条件を設定する「簡単マニュアルモード」だけではなく、数値によってシャッタスピード値や絞り値を設定することもできる。
【００３２】
なお、上述の実施の形態において、シャッタスピード値または絞り値を設定する際に、外光の明るさやＩＳＯ感度が、イメージ図表示領域３６に表示されるイメージ図に反映されるようにしてもよい。また、警告表示領域３８に表示される警告についても、外光の明るさやＩＳＯ感度を反映させて、警告を表示する条件を適宜変更するようにしてもよい。
【００３３】
また、語句または画像によって設定できる撮影条件はシャッタスピード値及び絞り値に限定されるものではなく、他の撮影条件を語句または画像によって設定できるようにしてもよい。
【図面の簡単な説明】
【００３４】
【図１】本発明の実施の形態に係るカメラの背面の構成を示す図である。
【図２】本発明の実施の形態に係るカメラのシステム構成を示すブロック構成図である。
【図３】本発明の実施の形態に係るカメラに記憶されているシャッタスピード値を示す語句に対応するイメージ図である。
【図４】本発明の実施の形態に係るカメラに記憶されているシャッタスピード値を示す語句に対応するイメージ図である。
【図５】本発明の実施の形態に係るカメラに記憶されている絞り値を示す語句に対応するイメージ図である。
【図６】本発明の実施の形態に係るカメラに記憶されている絞り値を示す語句に対応するイメージ図である。
【図７】本発明の実施の形態に係るカメラのマニュアルモードにおける撮影条件の設定処理を説明するためのフローチャートである。
【図８】本発明の実施の形態に係るカメラの「シャッタスピード優先選択モード」、「絞り優先選択モード」を設定する場合の表示部での表示を示す図である。
【図９】本発明の実施の形態に係るシャッタスピード値を語句により設定する場合の表示部での表示を示す図である。
【図１０】本発明の実施の形態に係る絞り値を語句により設定する場合の表示部での表示を示す図である。
【図１１】本発明の実施の形態に係る「シャッタスピード優先選択モード」において、絞り値を設定する場合にイメージ図表示部に表示されるイメージ図を示す図である。
【図１２】本発明の実施の形態に係る「シャッタスピード優先選択モード」において、絞り値を設定する場合にイメージ図表示部に表示されるイメージ図を示す図である。
【図１３】本発明の実施の形態に係る「絞り優先選択モード」において、シャッタスピード値を設定する場合にイメージ図表示部に表示されるイメージ図を示す図である。
【図１４】本発明の実施の形態に係る「絞り優先選択モード」において、シャッタスピード値を設定する場合にイメージ図表示部に表示されるイメージ図を示す図である。
【図１５】本発明の実施の形態に係る画像によるシャッタスピード値または絞り値の設定をする場合の表示状態を示す図である。
【符号の説明】
【００３５】
２・・・カメラ、１０・・・表示部、１２・・・マルチセレクタ、１４・・・決定ボタン、１６・・・ＣＰＵ、２２・・・撮像素子、３０・・・撮影条件設定部、３２・・・イメージ図記憶部、３４・・・撮影条件選択部、３６・・・イメージ図表示部。
【図１】
0005352994.tif 000002
【図２】
0005352994.tif 000003
【図３】
0005352994.tif 000004
【図４】
0005352994.tif 000005
【図５】
0005352994.tif 000006
【図６】
0005352994.tif 000007
【図７】
0005352994.tif 000008
【図８】
0005352994.tif 000009
【図９】
0005352994.tif 000010
【図１０】
0005352994.tif 000011
【図１１】
0005352994.tif 000012
【図１２】
0005352994.tif 000013
【図１３】
0005352994.tif 000014
【図１４】
0005352994.tif 000015
【図１５】
0005352994.tif 000016